(57)【要約】  内側ライニングを備え、前記内側ライニングは断熱シート材料から製造される断熱輸送コンテナと、外側ボックス層とを備え、前記外側ボックス層は耐水性断熱シート材料から製造され、前記外側断熱ボックス層の側壁は少なくとも1つの係止タブによって、前記外側断熱ボックス層の隣接する側壁に接続される、断熱輸送コンテナ。
2021529705.tif 000002
【特許請求の範囲】
【請求項１】
内側ライニングであって、前記内側ライニングは断熱シート材料から製造される、内側ライニングと、
外側ボックス層であって、前記外側ボックス層は耐水性の断熱シート材料から製造される、外側ボックス層と、を備え、
前記外側ボックス層の側壁は、少なくとも１つの係止タブによって、前記外側ボックス層の隣接する側壁に接続される、断熱輸送コンテナ。
【請求項２】
蓋をさらに備え、
前記蓋は、耐水性の断熱シート材料から製造される、
請求項１に記載の断熱輸送コンテナ。
【請求項３】
前記内側ライニングは、２つ以上の層を含む材料から製造される、
請求項１または２に記載の断熱輸送コンテナ。
【請求項４】
前記層の１つ以上は、発泡体層である、
請求項３に記載の断熱輸送コンテナ。
【請求項５】
前記層の１つ以上は、独立気泡発泡体層である、
請求項３または４に記載の断熱輸送コンテナ。
【請求項６】
前記発泡体層は、反射材料の２つ以上の層の間に封入される、
請求項３〜５のいずれか一項に記載の断熱輸送コンテナ。
【請求項７】
前記発泡体層は、抗菌材料の２つ以上の層の間に封入される、
請求項３〜５のいずれか一項に記載の断熱輸送コンテナ。
【請求項８】
前記発泡体層は、反射材料の１つ以上の層と抗菌材料の１つ以上の層との間に封入される、
請求項３〜５のいずれか１項に記載の断熱輸送コンテナ。
【請求項９】
前記抗菌材料は、食品グレードの抗菌材料である、
請求項７または８に記載の断熱輸送コンテナ。
【請求項１０】
前記内側ライニングは、可撓性の断熱シート材料から製造される、
請求項１〜９のいずれか一項に記載の断熱輸送コンテナ。
【請求項１１】
前記内側ライニングは、耐水性の断熱シート材料から製造される、
請求項１〜１０のいずれか一項に記載の断熱輸送コンテナ。
【請求項１２】
前記外側ボックス層は、２つ以上の層を含む材料から製造される、
請求項１〜１１のいずれか一項に記載の断熱輸送コンテナ。
【請求項１３】
前記外側ボックス層は、波形のツインウォールプラスチックシートから製造される、
請求項１〜１２のいずれか一項に記載の断熱輸送コンテナ。
【請求項１４】
前記断熱シート材料および前記耐水性の断熱シート材料は、端部が封止されている、
請求項１〜１３のいずれか一項に記載の断熱輸送コンテナ。
【請求項１５】
前記内側ライニング、前記外側ボックス層、または前記蓋のうちの少なくとも１つは、１つ以上の監視装置を備える、
請求項１〜１４のいずれか一項に記載の断熱輸送コンテナ。
【請求項１６】
少なくとも１つの監視装置は、断熱輸送コンテナ、その内側ライニング、その外側ボックス層、またはその蓋の位置を追跡するために使用される、
請求項１５に記載の断熱輸送コンテナ。
【請求項１７】
前記１つ以上の監視装置から得られたデータはブロックチェーンに書き込まれる、請求項１５または１６に記載の断熱輸送コンテナ。
【発明の詳細な説明】
【技術分野】
【０００１】
本発明は、断熱輸送コンテナに関する。より詳細には、本発明は、海産物のような温度に敏感な物品をアウトオブコールドチェーンで輸送するための断熱輸送コンテナに関する。
【背景技術】
【０００２】
海産物のような温度に敏感な物品の貯蔵および輸送のための公知の包装には発泡ポリスチレン（発泡スチロール）ボックスおよびポリエチレン被覆またはワックス含浸波形繊維板ボックスが含まれ、これらは氷のような冷却材料で包装されて、物品をアウトオブコールドチェーン貯蔵および配送の間、推奨される温度範囲（海産物については通常２℃〜８℃）内で冷却された状態に保つ。
【０００３】
発泡ポリスチレンボックスを使用することの欠点は、使用中のボックスの分解により寿命が限られていることである。加えて、発泡ポリスチレンは、ポリスチレンがそれほど生分解性ではない小片に分解することがあるので、環境上の危険をもたらす。さらに、この種の包装材料は障壁特性が劣る傾向があり、その結果、その内容物による汚染を受ける可能性がある。加えて、それらは、典型的には環境的に持続不可能な一回使用のプラスチックライナーバッグを必要とする。
【０００４】
さらに、ボックスは寸法が固定されており、折りたたみ式ではないため、使用しないときに輸送および保管するのにかさばる可能性があるため、使用効率は制限される。さらに、寸法が固定されているため、特に、コンテナに適合するようにアイテムを分割することができない場合（生鮮魚などの食品について、レストランは製品分離を好まない）、非標準サイズのアイテムについてはその有用性が制限される。
【０００５】
オーストラリアの大規模な海産物貿易パートナーであるアメリカや香港を含む世界中の多くの国が、食品および食料品分野でポリスチレンを禁止している。航空会社では、飛行機の清掃および点検が必要な多くの製品漏れのため、発泡スチロール航空貨物の承認状況の見直しを行っている。
【０００６】
したがって、改良された断熱コンテナ、または前述の問題を改善する少なくとも１つを提供することができれば、利点がある。
【０００７】
先行技術の刊行物が本明細書中で言及される場合、この言及は、その刊行物がオーストラリアまたは他の国における当該技術分野における共通の一般知識の一部を形成することの自認を構成しないことが明らかに理解される
【発明の概要】
【０００８】
本発明は前述の欠点の少なくとも１つを少なくとも部分的に克服することができ、または消費者に有用なまたは商業的な利点を提供することができる、改善された断熱コンテナに向けられる。
【０００９】
上記の観点から、本発明は、海産物のような温度に敏感な物品を収容し、輸送するのに使用する断熱コンテナに関する。商品の質を維持しながら、持続可能な手段を通じて「アウトオブコールドチェーン」温度に敏感な物品を配送することができる。本発明の断熱コンテナは、再使用可能な持続可能な形態のポリスチレンの代替物を提供する。
【００１０】
上記の観点から、一形態の本発明は、概して、
内側ライニングであって、前記内側ライニングは断熱シート材料から製造される、内側ライニングと、
外側ボックス層であって、前記外側ボックス層は耐水性断熱シート材料から製造される、外側ボックス層と、を備え、
ここで、外側ボックス層の側壁は、少なくとも１つのロッキングタブによって、外側ボックス層の隣接する側壁に接続される、断熱輸送コンテナにある。
【００１１】
断熱輸送コンテナは、任意の適切な目的のために使用され得る。本発明の実施形態では、断熱輸送コンテナを使用して、腐敗しやすい物品を輸送することができる。本明細書を通して使用される「腐敗しやすい」という用語は、その有効性、新鮮さ、価値、消費者に対する安全性などが温度に敏感、温度に敏感、またはこれら２つの組み合わせである物品を指すことが理解されるのであろう。
【００１２】
例えば、腐敗しやすい物品には、肉および肉の副産物、魚および海産物、乳製品、果物および野菜、花、医薬品、化学物質、移植用臓器などが含まれ得る。好ましくは、断熱輸送コンテナは、温度に敏感な商品を輸送するために使用することができる。しかしながら、使用時に、断熱輸送コンテナは、輸送および環境条件が物品の経時の品質、安全性、外観、貯蔵寿命などに悪影響を及ぼし得る、任意の形態の物品を輸送するために使用され得ることが想定される。
【００１３】
断熱輸送コンテナは、陸上、航空、列車、または船舶によって腐敗しやすい物品を輸送するために使用されてもよい。しかしながら、輸送のタイプは、輸送される商品、冷蔵コンテナが輸送のために必要とされるかどうか、および物品の目的地のような、多くの要因に依存して変化し得ることが理解されるのであろう。
【００１４】
断熱輸送コンテナは、任意の適切なサイズ、形状または形状であってもよい。好ましくは、断熱輸送コンテナの寸法および形状は、少なくとも部分的には輸送される腐敗しやすい物品の種類によって決定される。例えば、大きな魚全体（または複数の魚）が輸送される場合、魚の切り身が輸送される場合よりも大きな断熱輸送コンテナが必要とされ得る。しかしながら、断熱輸送コンテナのサイズ、形状および構成は、商業的考慮事項、輸送のタイプおよび目的地、ならびに腐敗しやすい物品が生きているか、新鮮であるか、冷蔵されているか、または冷凍されているかのような多くの要因に応じて変化し得ることが理解されるのであろう。
【００１５】
断熱輸送コンテナは、内側ライニングを備える。内側ライニングは、断熱特性を有する任意の適切な種類の材料から製造することができる。好ましくは、内側ライニングはシート材料から製造されてもよい。好ましくは、内側ライニングは可撓性のシート材料から製造されてもよい。本発明の実施形態において、内側ライニングは、断熱シート材料から製造されてもよい。任意の適切な断熱シート材料を使用することができる。しかしながら、使用時には、断熱シート材料が放射熱を反射し、それによって、断熱シート材料によって少なくとも部分的に囲まれた物体に対する温度上昇を低減または最小限に抑えることができると想定される。好ましくは、断熱シート材料は放射熱のかなりの部分を反射する。本発明のいくつかの実施形態では、断熱シート材料は少なくとも５０％の放射熱を反射することができる。より好ましくは、断熱シート材料は少なくとも７５％の放射熱を反射することができる。最も好ましくは、断熱シート材料は少なくとも９５％の放射熱を反射することができる。本発明の好ましい実施形態では、断熱シート材料は放射熱の少なくとも８７％を反射する。
【００１６】
断熱シート材料は少なくとも１つの層を含んでもよい。本発明の実施形態において、断熱シート材料は多層構造であってもよい。本発明の実施形態では、断熱シート材料は少なくとも１つの上層と少なくとも１つの下層との間に位置する断熱層を含む。好ましくは、断熱層は少なくとも１つの上層と少なくとも１つの下層との間に封入されてもよく、その結果、断熱層は少なくとも１つの上層と少なくとも１つの下層とによって実質的に封入されてもよい。断熱層は任意の適切な材料から製造することができる。例えば、断熱層は、押出ポリマー、発泡ポリマー（ｅｘｐａｎｄｅｄ  ｐｏｌｙｍｅｒ）、発泡ポリマー（ｆｏａｍｅｄ  ｐｏｌｙｍｅｒ）、またはそれらの組み合わせから製造されてもよい。したがって、断熱層は、ポリエチレン、エチレン酢酸ビニル、エチレンプロピレンジエンターポリマー、ネオプレン、ニトリル、ポリ塩化ビニル、シリコーン、フルオロエラストマー、ウレタンなど、またはそれらの任意の適切な組み合わせなどのポリマー（および特に発泡ポリマー）から作製され得るが、これらに限定されない。断熱層は、独立気泡発泡体断熱材料または連続気泡発泡体断熱材料から製造されてもよい。本発明の好ましい実施形態では、断熱層は独立気泡発泡体材料を含むことができる。独立気泡発泡体材料は２０％以下、１０％以下、５％以下の連続気泡含有量を有し、ゼロパーセントの連続気泡含有量を有することができる。好ましい実施形態では、断熱層は独立気泡ポリエチレン発泡体コアであってもよい。
【００１７】
上層および下層は、任意の適切な材料から製造することができる。好ましくは、上層および下層は１つ以上の環境因子に対する耐性を提供され得る。好ましくは、上層および下層は、抗菌性、反射性、断熱性、耐水性、防水性、ＵＶ耐性、耐薬品性、耐衝撃性、耐火性、またはそれらの組み合わせであり得る。
【００１８】
好ましくは、断熱シート材料は少なくとも１つの反射層を含む。反射層は、金属箔（アルミニウム箔、アルミニウム箔ラミネートなど）、メタライズされたプラスチックフィルムなどを含むが、これらに限定されない、任意の適切な材料から製造されてもよい。本発明の一実施形態では、反射層はメタライズされたポリエチレンとすることができる。層は任意の適切な配向で配置され得るが、反射層は外側ボックス層と接触して、または外側ボックス層に近接して配置され得ることが想定される。したがって、本発明のこの実施形態では、反射層は内側ライニングの外面（ｏｕｔｅｒ  ｆａｃｉｎｇ）を形成する。本発明の別の実施形態では、反射層は内側ライニングの内面（ｉｎｎｅｒ  ｆａｃｉｎｇ）を形成する。本発明の一実施形態では、断熱シート材料は反射材料の２つ以上の層の間に封入された発泡体層を含む。
【００１９】
好ましくは、断熱シート材料は抗菌材料の少なくとも１つの層を含む。抗菌層は、抗菌ポリマー、銀ナノ粒子被覆ポリマーなどを含むが、これらに限定されない、任意の適切な材料から作製されてもよい。本発明の一実施形態では、抗菌層は抗菌ポリエチレンであってもよい。層は任意の適切な配向で配置され得るが、抗菌層は腐敗しやすい物品と接触して、またはその近傍に配置され得ることが想定される。したがって、本発明のこの実施形態では、抗菌層は内側ライニングの内面を形成する。本発明の代替実施形態では、抗菌層は内側ライニングの外面を形成する。本発明の一実施形態では、断熱シート材料は抗菌材料の２つ以上の層の間に封入された発泡体層を含む。好ましくは、抗菌材料は食品グレードの抗菌材料であってもよい。
【００２０】
本発明の一実施形態では、断熱シート材料は、反射材料の１つ以上の層と抗菌材料の１つ以上の層との間に封入された発泡体層を含む。
【００２１】
好ましくは、内側ライニングは可撓性の断熱シート材料から製造されてもよい。断熱シート材料は、任意の適切な厚さであってよい。しかしながら、断熱シートの厚さは、輸送される腐敗しやすい物品の要件、環境周囲温度、およびシート材料に要求される可撓性の程度など、多くの要因に応じて変化し得ることが理解されるのであろう。
【００２２】
好ましくは、内側ライニングは食品グレードの承認された断熱シート材料から組み立てることができる。本明細書の目的のために、「食品グレード」という語は、ヒトまたは動物が摂取するための食品と接することが可能である、内側ライニングを意味する。
【００２３】
好ましい実施形態では、内側ライニングは１つ以上の環境要因に対する耐性を備えることができる。例えば、内側ライニングは、耐水性、防水性、耐ＵＶ性、耐薬品性、耐衝撃性、耐火性、またはそれらの組み合わせであってもよい。本発明の好ましい実施形態では、内側ライニングが少なくとも耐水性であってもよい。好ましくは、内側ライニングは実質的に防水性であってもよく、その結果、冷却材料が融解するか、または冷凍品が解凍する場合、結果として生じる水は内側ライニングから漏出しない。
【００２４】
内側ライニングに耐水性を付与する任意の好適な手段を使用することができる。例えば、内側ライニングは、実質的に耐水性の断熱シート材料から形成されてもよく、撥水性コーティングを備えてもよく、高水分バリアを有するライニングを備えてもよく、または、内側ライニングが少なくとも部分的に耐水性（ｗａｔｅｒ  ｔｉｇｈｔ）もしくは耐水性（ｗａｔｅｒ  ｒｅｓｉｓｔａｎｔ）であり得るように組み立てられてもよく、またはそれらの組み合わせであってもよい。好ましくは、断熱シート材料は封止された縁部を有することができる。このように材料の断熱能力が向上し、シート材料の耐水性が向上する。シート材料の縁部を封止するための任意の適切な技術を使用することができる。しかしながら、封止技術は、封止されるべきシート材料のタイプ、シート材料の厚さ、および必要とされる封止の程度のような多くの要因に依存して変化し得ることが理解されるのであろう。例えば、シート材料の縁部は、接着剤または接着テープ、熱処理、化学処理、機械的処理（超音波溶接、圧縮など）、またはそれらの組み合わせを使用することによって封止されてもよい。
【００２５】
本発明の一実施形態では、シート材料の周囲の少なくとも一部を封止することができる。本発明の別の実施形態では、シート材料の周囲の実質的にすべてを封止することができる。本発明の一実施形態では、シート材料を内側ライニングに組み立てる前に、シート材料の周囲の少なくとも一部を封止することができる。本発明の一実施形態では、内側ライニングの周囲の少なくとも一部は組み立て後にシート材料から封止されてもよい。
【００２６】
内側ライニングは、任意の適切なサイズ、形状、または構成であってもよい。しかしながら、好ましくは、内側ライニングは外側ボックス層の内部寸法内に適合するのに十分な大きさおよび形状である。本発明の一実施形態では、内側ライニングは外側ボックス層内に少なくとも部分的に受容され、保持されるように適合されてもよい。好ましくは、実質的にすべての内側ライニングは外側ボックス層内に受容され、保持され得る。
【００２７】
本発明の実施形態において、内側ライニングの寸法は、内側ライニングの一部のみが外側ボックス層の内面に当接して保持されてもよいし、外側ボックス層の内面に近接して保持されてもよいように、外側ボックス層の内側寸法よりも小さい。本発明の代替的な実施形態では、内側ライニングの寸法は、内側ライニングの実質的にすべてが外側ボックス層の内面と当接して保持されてもよく、また外側ボックス層の内面と近接して保持されてもよいように、外側ボックス層の内側寸法と実質的に同一である。
【００２８】
本発明の一実施形態では、内側ライニングは、外側ボックス層の内面に近接して保持されてもよいが、取り付けられなくてもよい。使用時に、内側ライニングと外側ボックス層との間に形成された空気ギャップは、内側ライニングと外側ボックス層との間に熱バリアを形成し得ることが想定される。内側ライニングは、任意の適切な手段によって、外側ボックス層の内面に近接して保持されてもよい。本発明の実施形態において、断熱材料は、内側ライニングと外側ボックス層との間に配置されてもよい。本発明の代替実施形態では、内側ライニングは外側ボックス層の内面に取り付けられた少なくとも１つの支持部材によって少なくとも部分的に支持されてもよく、その結果、少なくとも１つの支持部材は、内側ライニングと外側ボックス層の内面との間に分離を提供する。本発明のさらなる実施形態では、氷またはゲルパックなどの冷却材料を、内側ライニングと外側ボックス層との間に配置することができる。
【００２９】
本発明の代替実施形態では、内側ライニングは外側ボックス層の少なくとも１つの内面に取り付けることができる。使用時に、内側ライニングを外側ボックス層の少なくとも１つの内面に取り付けることによって、断熱輸送コンテナの内容物の移動を減少させ、かつ、潜在的な損傷を減少させることができると想定される。内側ライニングは、任意の適切な手段によって外側ボックス層の内面に取り付けることができる。本発明の一実施形態では、外側ボックス層の内面は、接着剤、接着テープ、アルミニウム箔テープ、または機械的ファスナー（ステッチ、ステープルなど）、またはそれらの任意の適切な組合せを使用して、外側ボックス層の内面に取り付けることができる。
【００３０】
内側ライニングは、当技術分野で公知の任意の方法で、例えば、シート材料をスリーブに曲げ、シート材料の重なり合うまたは当接する側縁を接合して側壁を形成することによりスリーブを長手方向に閉じて、形成することができる。あるいは、内側ライニングの少なくとも１つの側壁は、ブランクまたは打ち抜きシート材料を予め形成された線に沿って折り曲げてスリーブを生成することによって形成されてもよい。
【００３１】
１つ以上の材料シートを使用して、内側ライニングを形成することができる。本発明の一実施形態では、２枚以上の材料シートを使用して内側ライニングを形成することができる。内側ライニングは、上から見た場合、任意の適切な形状を有してもよい。例えば、コンテナの１つ以上の側壁は、腐敗しやすい物品が配置され得る実質的に円形、正方形、長方形、六角形または八角形の空隙を画定し得る。本発明の実施形態において、内側ライニングの側壁は、材料の可撓性シートを予め形成された線に沿って曲げ、アルミニウムテープを用いて端部を長手方向に閉じることによって形成されてもよい。好ましくは、内側ライニングの側壁は、材料の可撓性シートを予め形成された線に沿って曲げ、隣接する側縁を一緒に締結することによって形成されてもよい。
【００３２】
シート材料の重なり合うまたは当接する側縁は、任意の適切な技術を用いて一緒に締結することができる。しかしながら、締結技術は、封止されるべきシート材料のタイプ、シート材料の厚さ、および必要とされる封止の程度のような多くの要因に応じて変化し得ることが理解されるのであろう。例えば、シート材料の重なり合うまたは当接する側縁は、接着剤、接着テープ、アルミニウム箔テープ、機械的ファスナー（ステッチング、ステープルなど）、熱処理、化学処理、機械的処理（超音波溶接、圧縮など）、またはそれらの任意の適切な組み合わせを使用して締結されてもよい。本発明の一実施形態では、隣接する側縁が熱封止によって互いに締結されてもよい。あるいは、シート材料の縁部は、シート材料の縁部に配置された１つ以上の係止タブを、シート材料の反対側の縁部に配置された１つ以上のタブ保持スロットに少なくとも部分的に挿入することによって、一緒に締結されてもよい。使用時に、シート材料の縁部を締結するための２つ以上の技術が使用されてもよいことが想定される。本発明の一実施形態では、シート材料の重なり合うまたは隣接する側縁は接着性防水テープで封止されてもよい。この場合、内側ライニングの側縁に当接する封止を防水テープで封止すると、内側ライニングの耐水性が向上する可能性があると考えられる。
【００３３】
断熱輸送コンテナには、冷却材料を設けることができる。任意の適切な冷却材料を提供することができる。しかしながら、好ましくは、使用され得る冷却材料のタイプは、断熱輸送コンテナのタイプ、および関連する輸送および食品規制によって少なくとも部分的に決定される。適切な冷却材料としては、ドライアイス、ウェットアイス、ゲル冷却剤、アイスゲルパック、またはそれらの組み合わせが含まれる。冷却材料は、断熱輸送コンテナの任意の適切な部分に配置することができる。例えば、冷却材料は、輸送される腐敗しやすい物品に近接して、内側ライニングと外側ボックス層との間に、またはそれらの組み合わせに配置されてもよい。冷却材料の位置は、輸送される腐敗しやすい物品のタイプに依存し得ることが想定される。
【００３４】
断熱輸送コンテナは外側ボックス層を備える。外側ボックス層は、任意の適切なサイズ、形状、または構成であってもよい。本発明の実施形態において、外側ボックス層は、断熱輸送コンテナと実質的に同じ寸法であってもよい。好ましくは、外側ボックス層は断熱輸送コンテナの外側層である。外側ボックス層は、上から見た場合、任意の適切な形状を有する可能性がある。例えば、コンテナの１つ以上の側壁は、実質的に円形、正方形、長方形、六角形、または八角形の空隙を画定してもよく、その中に内側ライニングが配置されてもよい。
【００３５】
本発明の実施形態では、断熱輸送コンテナは蓋を備える。蓋は、任意の適切なサイズ、または構成であってもよい。しかしながら、好ましくは、蓋は外側ボックス層を閉じるのに十分な大きさ、形状および構成である。
【００３６】
外側ボックス層および／または蓋は、比較的高い耐衝撃性および断熱性を有する任意の適切な種類の材料から製造されてもよい。例えば、外側ボックス層および／または蓋は、波形繊維板、段ボール、バイオポリマー、ポリマー、半硬質プラスチック、およびそれらの組み合わせを含むが、これらに限定されない、任意の適切な材料から製造されてもよい。本発明の一実施形態では、外側ボックス層および／または蓋は、ポリプロピレン材料から製造されてもよい。本発明の一実施形態では、外側ボックス層および蓋は同じタイプの材料から製造されてもよい。本発明の代替実施形態では、外側ボックス層および蓋は異なるタイプの材料から製造されてもよい。
【００３７】
好ましい実施形態では、外側ボックス層および／または蓋は１つ以上の環境要因に対する耐性を備えることができる。例えば、外側ボックス層および／または蓋は、耐水性、防水性、耐ＵＶ性、耐薬品性、耐衝撃性、耐火性、またはそれらの組み合わせであってもよい。本発明の好ましい実施形態では、外側ボックス層および／または蓋は少なくとも耐水性であってもよい。好ましくは、外側ボックス層は実質的に防水性であり得、その結果、冷却材料が融解するか、または凍結した物品が解凍する場合、結果として生じる水は外側ボックス層から漏出しない。好ましくは、蓋は実質的に防水であってもよく、その結果、断熱輸送コンテナの上方に位置するコンテナから漏れる雨や水は断熱輸送コンテナ内に侵入しない。
【００３８】
外側ボックス層および／または蓋に耐水性を付与する任意の好適な手段を使用することができる。例えば、外側ボックス層および／または蓋は、実質的に耐水性の断熱シート材料から形成されてもよく、撥水性コーティングを備えてもよく、高水分バリアを有するライニングを備えてもよく、または外側ボックス層および／または蓋が少なくとも部分的に耐水性（ｗａｔｅｒ  ｔｉｇｈｔ）もしくは耐水性（ｗａｔｅｒ  ｒｅｓｉｓｔａｎｔ）であり得るように組み立てられてもよく、またはそれらの組み合わせであってもよい。好ましくは、耐水性断熱シート材料は封止された縁部を有することができる。このように、材料の断熱能力が向上し、シート材料の耐水性が向上する。シート材料の縁部を封止するための任意の適切な技術を使用することができる。しかしながら、封止技術は、封止されるべきシート材料のタイプ、シート材料の厚さ、および必要とされる封止の程度のような多くの要因に依存して変化し得ることが理解されるのであろう。例えば、シート材料の縁部は、接着剤または接着テープ、熱処理、化学処理、機械的処理（超音波溶接、圧縮など）、またはそれらの組み合わせを使用することによって封止されてもよい。
【００３９】
本発明の一実施形態では、シート材料の周囲の少なくとも一部を封止することができる。本発明の別の実施形態では、シート材料の周囲の実質的にすべてを封止することができる。本発明の一実施形態では、シート材料を外側ボックス層および／または蓋に組み立てる前に、シート材料の周囲の少なくとも一部を封止することができる。本発明の一実施形態では、外側ボックス層および／または蓋の周囲の少なくとも一部が組み立て後にシート材料から封止されてもよい。
【００４０】
本発明の実施形態において、外側ボックス層および／または蓋は、耐水性の断熱シート材料から製造されてもよい。本発明のさらなる実施形態では、外側ボックス層および／または蓋は耐水性の断熱シート材料から製造されてもよく、シート材料の重なり合うまたは当接する側縁は接着性防水テープで封止されてもよい。この場合、外側ボックス層および／または蓋の側縁に当接する防水テープを使用した封止は、外側ボックス層および／または蓋の耐水性を向上させることができると考えられる。好ましくは、耐水性の断熱シート材料は封止された縁部を有することができる。このように、材料の断熱能力が向上し、シート材料の耐水性が向上する。
【００４１】
耐水性の断熱シート材料は、少なくとも１つの層を含んでもよい。本発明の実施形態において、耐水性の断熱シート材料は、多層構造であってもよい。好ましい実施形態において、耐水性の断熱シート材料は、ツインウォールプラスチック構造であってもよい。好ましくは、耐水性の断熱シート材料は波形プラスチックであってもよい。本発明の実施形態において、耐水性の断熱シート材料は、平行なリブによって接続された２つの平坦シートからなるプラスチック波形ツインウォールシートを含む。本発明のいくつかの実施形態では、耐水性の断熱シート材料は、ポリエチレン、ポリプロピレン、ポリ塩化ビニル、ポリエチレンテレフタレート、ポリカーボネート、アクリロニトリルブタジエンスチレンなど、またはそれらの任意の適切な組み合わせから製造され得る。
【００４２】
適切な市販の耐水性の断熱シート材料には、Ｃｏｒｅｘ  Ｐｌａｓｔｉｃｓ（オーストラリア）Ｐｔｙ社製のＣｏｒｆｌｕｔｅ（登録商標）シートが含まれる。
【００４３】
本発明の一実施形態では、外側ボックス層および／または蓋は少なくともＵＶ耐性であってもよい。外側ボックス層および／または蓋にＵＶ耐性を付与する任意の好適な手段が使用されてもよい。例えば、外側ボックス層および／または蓋は、実質的にＵＶ耐性の断熱シート材料から形成されてもよく、ＵＶ耐性コーティングを備えてもよく、またはそれらの組み合わせであってもよい。本発明の一実施形態では、外側ボックス層および／または蓋にはメタライズされたプラスチックフィルムなどのＵＶ耐性フィルムの形態のコーティングを設けることができる。本発明の好ましい実施形態では、外側ボックス層および／または蓋にはメタライズされたポリプロピレンフィルムを設けることができる。好ましくは、外側ボックス層および／または蓋にはメタライズされた延伸ポリプロピレンフィルムを設けることができる。使用時に、メタライズされたプラスチックフィルムは、日照にさらされたときに、外側ボックス層および／または蓋の熱性能を改善し得ることが想定される。
【００４４】
外側ボックス層および／または蓋は、当技術分野で知られている任意の方法で、例えば、ブランクまたは打ち抜きシート材料を予め形成された線に沿って折り曲げて、側部パネルおよび端部パネルをベースパネルから持ち上げることによって、形成することができる。材料の１つ以上のシートが使用されてもよい。本発明の一実施形態では、外側ボックス層ブランクの一部として一体的に形成された上壁を折り畳んで蓋を形成することができる。この場合、上壁は、外側ボックス層ブランクの１つ以上の側壁への延長部であってもよいことが想定される。あるいは、オープンボックス構造の形態の蓋はブランクから形成されてもよい。この場合、蓋は、蓋の側面パネルが少なくとも部分的に外側ボックス層の側面パネル上に延びるように、外側ボックス層上に嵌め込まれ得ることが想定される。本発明のさらなる実施形態では、材料のシートを外側ボックス層の上部リムに取り付けて、蓋またはクロージャを形成することができる。
【００４５】
外側ボックス層および／または蓋の１つ以上の側壁は、任意の適切な技術によって、隣接する側壁に取り付けられてもよい。例えば、シート材料の重なり合うまたは隣接する側縁は、接着剤、接着テープ、アルミニウム箔テープ、または機械的ファスナー（ステッチング、ステープルなど）、またはそれらの任意の適切な組み合わせを使用して締結されてもよい。あるいは、シート材料の縁部は、シート材料の縁部に配置された１つ以上の係止タブを、シート材料の反対側の縁部に配置された１つ以上のタブ保持スロットに少なくとも部分的に挿入することによって、一緒に締結されてもよい。あるいは、シート材料の縁部は、１つ以上の折り重ねられた係止フラップがシート材料の隣接する部分の縁部を横切って少なくとも部分的に延在するように、シート材料の第１の部分の縁部に位置する１つ以上の係止フラップを折り重ねることによって一緒に締結されてもよい。使用時に、シート材料の縁部を締結するための１つ以上の技術が使用されてもよいことが想定される。本発明の一実施形態では、シート材料の重なり合うまたは隣接する側縁は接着性防水テープで封止されてもよい。この場合、内側ライニングの側縁に当接する防水テープを使用した封止は、内側ライニングの耐水性が向上する可能性があると考えられる。
【００４６】
外側ボックス層および／または蓋には、１つ以上のストラップを設けることができる。ストラップは、任意の適切なサイズ、形状、および構成であってもよい。しかしながら、好ましくは、ストラップは、断熱輸送コンテナを移動し、持ち上げるのに十分な大きさおよび機械的特性（強度、剛性、形状など）を有する。使用時には、１つ以上のストラップは蓋を外側ボックス層に固定してもよいことが想定される。
【００４７】
本発明の一実施形態では、断熱輸送コンテナは段ボール外側コンテナをさらに含む。本発明の代替実施形態では、断熱輸送コンテナは段ボールスリーブをさらに備える。任意の適切な段ボール外側コンテナまたは段ボールスリーブを使用することができる。使用時には、会社のブランド、発送者の詳細、受取人の詳細、腐敗しやすい商品に関する情報などを、段ボールの外側コンテナまたは段ボールのスリーブ上に印刷することができることが想定される。このようにして、断熱輸送コンテナは、異なる会社によって再利用されてもよい。
【００４８】
断熱輸送コンテナには、１つ以上の監視装置を設けることができる。監視装置は、任意の適切なタイプのものであってもよく、断熱輸送コンテナに関連する任意の適切なパラメータを監視してもよい。しかしながら、好ましくは、１つ以上の監視装置は、内側ライニングおよび／または外側ボックス層および／または蓋の状態に関する情報を提供する。例えば、適切な監視装置は、電子監視装置であってもよい。電子監視装置は、電子チップ、ＩｏＴ（Ｉｎｔｅｒｎｅｔ  ｏｆ  Ｔｈｉｎｇｓ）モジュール、データロガー、ＲＦＩＤ（ｒａｄｉｏ  ｆｒｅｑｕｅｎｃｙ  ｉｄｅｎｔｉｆｉｃａｔｉｏｎ）チップ、ＮＦＣ（ｎｅａｒ  ｆｉｅｌｄ  ｃｏｍｍｕｎｉｃａｔｉｏｎ）タグ、スマートタグなどを含むことができる。使用時に、監視装置は、断熱輸送コンテナまたはその個々の構成要素を追跡および／またはトレースし、摩耗または損傷した構成要素を識別し、断熱輸送コンテナ内の１つ以上の位置で温度または湿度を監視し、あるいはそれらの組合せを使用することができることが想定される。本発明の一実施形態では、内側ライニング、外側ボックス層、および蓋のうちの１つ以上に、１つ以上の監視装置を設けることができる。
【００４９】
例えば、断熱輸送コンテナの再使用可能性およびリサイクル可能性の追跡および検証は、コンテナの個々の構成要素のそれぞれの内部に製造時点で電子チップ（ＩｏＴ）を埋め込むことによって達成されてもよい。各層は、電子チップ読み取り装置を介して製造時点でスキャンされてもよく（また、送信者、トランスポータ、受信者、リサイクラなどによる、製品ライフサイクルの１つ以上の他の時点でスキャンされてもよく）、各埋め込まれた電子チップからのデータは、クラウドおよびブロックチェーンプラットフォームのＡＰＩなどの受信者に送信されてもよい。したがって、データはブロックチェーンに書き込まれてもよい。有利には、これにより、断熱輸送コンテナの位置を、そのライフサイクル全体（例えば、最初の使用からリサイクルまで）を通じて追跡することができる。これにより、再使用およびリサイクル可能性についての完全な検証を提供し得ることが想定される。さらに、この情報は、在庫補充を補助するために使用されてもよい。
【００５０】
１つ以上の監視装置は、内側ライニング、外側ボックス層、および蓋の任意の適切な部分に配置することができる。しかしながら、監視装置の位置は、監視装置の機能および送信周波数（監視装置が送信する時間の周波数および／または監視装置が送信する無線周波数の両方に関して）のような多くの要因に応じて変化し得ることが理解されるのであろう。本発明の一実施形態では、監視装置は、内側ライニングおよび／または外側ボックス層および／または蓋の表面に配置することができる。この場合、監視装置は、保護バリアを有する監視装置を提供し、監視装置を内側ライニングおよび／または外側ボックス層および／または蓋に固定するために、ポリマーフィルムによって少なくとも部分的に覆われてもよいことが想定される。本発明の一実施形態では、監視装置は、内側ライニングおよび／または外側ボックス層および／または蓋の構造内に配置することができる。
【００５１】
本発明者らは、上記のような内側ライニング、耐水性の外側ボックス層、および蓋の組み合わせは、「アウトオブコールドチェーン」輸送コンテナとしてのポリスチレンの代替物を提供することを見出した。
【００５２】
本発明は、従来技術に勝る多くの利点を提供する。例えば、本発明は、「アウトオブコールドチェーン」製品輸送に適した効果的な輸送コンテナを提供する改善された断熱を提供する。加えて、本発明は、カスタマイズ可能な構造および便利な「費用効果の高い輸送」および不使用時の便利な保管のための折り畳み（フラットパック）能力を介して、使用時の柔軟性を改善する。本発明はまた、材料を破壊することなく再使用およびリサイクルする能力によって、費用効率および持続可能性を改善する。加えて、本発明は、輸送コンテナが完全にリサイクル可能である能力を改善する使い捨てプラスチックライナーバッグの形態の追加の湿気／漏れ障壁を必要としない。
【００５３】
別の態様では、本発明は、
内側断熱シート層と、
耐水性の外側断熱ボックス層と、を備え、
ここで、外側ボックス層の側壁は、少なくとも１つのロッキングタブによって外側ボックス層の隣接する側壁に接続される、断熱輸送コンテナにおいて、概ね存在する。
【００５４】
別の態様では、本発明は、
ａ．内側断熱シート層を取得するステップと、
ｂ．内側断熱シート層に折り目を付け、形成された折り目に沿って折り曲げて、内側断熱シート層に少なくとも１つの縁部を必要なサイズに形成するステップと、
ｃ．外側断熱シート層に折り目を付け、形成された折り目に沿って折り曲げて、外側断熱シート層に少なくとも１つの側壁を必要なサイズに形成するステップと、
ｄ．工程ｃからの折り畳まれた外側断熱シート層の内側に工程ｂからの折り畳まれた内側断熱シート層を配置するステップと、
ｅ．外側断熱ボックス層の側壁上に配置された少なくとも１つの係止タブを外側断熱ボックス層の隣接する側壁に接続するステップと、を含む、断熱コンテナの製造方法において、概ね存在する。
【００５５】
本明細書に記載される特徴のいずれも、本発明の範囲内で、本明細書に記載される他の特徴のいずれか１つ以上と任意の組合せで組み合わせることができる。
【００５６】
本明細書における先行技術への言及は、先行技術が共通の一般的知識の一部を形成することの承認またはいかなる形態の示唆としても解釈されず、および、解釈されるべきではない。
【図面の簡単な説明】
【００５７】
本発明の好ましい特徴、実施形態および変形は、当業者が本発明を実施するのに十分な情報を提供する以下の詳細な説明から認識することができる。「詳細な説明」は、いかなる方法によっても、前述の「発明の概要」の範囲を制限するものとはみなされない。発明を実施するための形態は、以下のいくつかの図面を参照する。
【図１】蓋なしの本発明の一実施形態による、断熱コンテナの斜視図を示す。
【図２】本発明の一実施形態による、内側ライニングの斜視図を示す。
【図３】保管状態にある本発明の一実施形態による、内側ライニングを示す。
【図４】内側ライニングが封止されていない、本発明の一実施形態による、断熱コンテナの斜視図を示す。
【図５】内側ライニングが封止されていない、本発明の一実施形態による、断熱コンテナの正面図を示す。
【図６】本発明の一実施形態による、外側ボックス層を形成するために使用されるブランクを示す。
【図７】本発明の一実施形態による、外側ボックス層用の蓋を形成するために使用されるブランクを示す。
【図８】本発明の一実施形態による、内側ライニングを形成するために使用されるブランクを示す。
【図９】本発明の一実施形態による、内側ライニングを形成するために使用されるブランクを示す。
【図１０】本発明の一実施形態による、外側ボックス層の斜視図を示す。
【図１１】本発明の一実施形態による、外側ボックス層用の蓋の上面図であり、反転状態で示されている。
【図１２】本発明の一実施形態による、内側ライニングの側縁の拡大図を示す。
【図１３】本発明の一実施形態による、蓋の正面図を示す。
【図１４】本発明の一実施形態による、航空貨物認可発泡ポリスチレンボックスおよび断熱輸送コンテナの温度変化のグラフを示す。
【図１５】本発明の一実施形態による、航空貨物認可発泡ポリスチレンボックスおよび断熱輸送コンテナの温度変化のグラフを示す。
【図１６】蓋なしの本発明の一実施形態による、断熱輸送コンテナの上面斜視図を示す。
【図１７】本発明の一実施形態による、内側ライニングの上面斜視図を示す。
【図１８】本発明の一実施形態による、断熱輸送コンテナの斜視図を示す。
【図１９】使用時の本発明の一実施形態による、断熱輸送コンテナを示す。
【図２０】本発明の一実施形態による、断熱輸送コンテナを示す。
【図２１】使用時の本発明の一実施形態による、断熱輸送コンテナを示す。
【図２２】使用時の本発明の一実施形態による、断熱輸送コンテナを示す。
【図２３】航空貨物認可段ボールコンテナの輸送試験中の１．２日間の時間期間にわたる温度および湿度のグラフを示す。
【図２４】プラスチックの波形ツインウォールシートから製造された輸送コンテナの輸送試験中の１．２日間にわたる温度および湿度のグラフを示す。
【図２５】本発明の一実施形態による、断熱輸送コンテナの輸送試験中の１．２日間にわたる温度および湿度のグラフを示す。
【発明を実施するための形態】
【００５８】
図１では、本発明の一実施形態による、断熱輸送コンテナ（１００）が図示されている。断熱輸送コンテナ（１００）は、内側ライニング（１）および外側ボックス層（２）を備える。外側ボックス層（３）のための蓋（図示せず）を設けることができる。外側ボックス層（２）は、内側ライニング（１）上に位置する監視装置（１０、１１、１３）と実質的に整列する１つ以上の開口部（１０ａ、１１ａ、１３ａ）を備えることができる。開口部（１６）は、ポリマーフィルムによって少なくとも部分的に覆われてもよく、保護バリアを装置に提供し、外側ボックス層（２）の耐水性を維持する。外側ボックス層（２）は、外側ボックス層の位置を追跡するか、または受動的に温度を監視し、記録することができる、ＮＦＣタグなどの１つ以上の監視装置（９）を備えることができる。外側ボックス層（２）の側壁は、対応する雌型ロッキングポケット（図示せず）に嵌合する少なくとも１つの雄型ロッキングタブ（４）によって、隣接する端壁に接続されてもよい。
【００５９】
図２には、本発明の一実施形態による、断熱輸送コンテナ（１００）の内側ライニング（１）が図示されている。図３には、本発明の実施形態による、断熱輸送コンテナの内側ライニング（１）が保管状態で図示されている。図４では、本発明の一実施形態による、断熱輸送コンテナ（１００）が使用時で示されており、ここで、部分的に組み立てられた状態の内側ライニング（１）は外側ボックス層（２）内に実質的に受け入れられる。
【００６０】
図２〜４において、内側ライニング（１）は、メタライズされた反射層から製造された外面（ｏｕｔｅｒ  ｆａｃｉｎｇ）と、食品グレードの抗菌層から製造された内面（ｉｎｎｅｒ  ｆａｃｉｎｇ）とを含む。ＮＦＣタグ（１３）は、内側ライニング（１）の外面に配置される。完全に組み立てられた状態では、内側ライニング（１）の端部が内側ライニング（１）内の熱的に誘起された折り目線（１７）上で折り重ねられ、内側ライニング（１）を閉じるために圧縮（１８）によって封止されることが想定される。（内側ライニングを閉じた状態に保持するためのテープ（１２）は、表示目的のみに使用される。内側ライニングをフラットに保持する重り（２５）は、表示目的のみに使用される。）
【００６１】
図５では、本発明の一実施形態による、断熱輸送コンテナ（１００）が使用時で示されており、ここで、部分的に組み立てられた状態の内側ライニング（１）は外側ボックス層（２）内に部分的に受け入れられる。組み立てられた状態において、外側ボックス層（２）の側壁上の側部係止フラップ（７）は、それらが少なくとも部分的に側部係止タブ（６）を横切って外側ボックス層（２）のキャビティ内に延びるように、折り重ねられる。このようにして、側部係止フラップ（７）は、外側ボックス層（２）の端壁および側壁を立設状態で実質的に保持することが想定される。組立て状態では、外側ボックス層（２）の雄型係止タブ（４）は対応する雌型係止ポケット（５）に嵌合し、外側ボックス層（２）の端壁と側壁とを実質的に立設状態で保持する。
【００６２】
図６には、本発明の一実施形態による、外側ボックス層（２）を形成するためのブランクが示されている。外側ボックス層（２）は、外側ボックス層の端壁上で、対応する雌型係止ポケット（５）に嵌合する対応する雄型係止タブ（４）および対応する係止ポケット（６）に嵌合する側部係止フラップ（７）を備える。
【００６３】
図７には、本発明の一実施形態による、外側ボックス層（２）用の蓋（３）を形成するためのブランクが示されている。蓋（３）は、蓋（３）の端壁および側壁の縁に位置する端部係止タブ（１９）と、蓋（３）の各端壁にヒンジ止めで取り付けられる端部係止フラップ（２０）とを備える。蓋（３）は、対応する雌型係止ポケット（２２）に嵌合する雄型係止タブ（２１）をさらに備える。インディカ（２００）は、蓋（３）の外面に設けられてもよい。
【００６４】
図８および図９には、本発明の一実施形態による、内側ライニング（１）を形成するためのブランクが示されている。内側ライニング（１）は、熱誘導成形折り目線（１７）と、ＮＦＣタグなどの１つ以上の監視装置（１０、１１）とを含み、これらの監視装置は、外側ボックス層の位置を追跡するか、または温度を受動的に監視し、記録することができる。内側ライニング（１）の少なくとも一部は、封止された縁部（２３）を含む。内側ライニング（１）は、メタライズされた反射層から製造された外面を含み、その周囲は、（重なり合う材料２４）で内面の周囲を越えて延在する。内側ライニングが組み立てられた際に、内側ライニング（１）の１つの部分上の重なり合う材料（２４）は、内側ライニング（１）の第２の部分上の重なり合う材料（２４）に当接してもよいことが想定される。当接する重なり合う材料（２４）は、耐水性バリアを提供するために封止されてもよい。
【００６５】
図１０において、開放ボックス構造の形態の蓋（３）は、蓋の側面パネルが外側ボックス層（２）の側面パネル上に実質的に延在するように、外側ボックス層（２）上に嵌合されてもよい。蓋（３）は、対応する雌型係止ポケット（２２）に嵌合する雄型係止タブ（２１）を含む。蓋（３）には、外側ボックス層の位置を追跡することができ、または温度を受動的に監視し、記録することができる、１つ以上の監視装置（８）を設けることができる。蓋（３）には、内側ライニング（１）上に位置する監視装置（１０、１１、１３）と実質的に整列する開口部（１６）を設けることもできる。開口部（１６）は、ポリマーフィルムによって少なくとも部分的に覆われてもよく、保護バリアを装置に提供し、外側ボックス層（２）の耐水性を維持する。蓋（３）は、ＮＦＣタグなどの１つ以上の監視装置（８）を備えることができ、この監視装置は、外側ボックス層の位置を追跡することができ、または温度を受動的に監視し、記録することができる。
【００６６】
図１１には、反転した状態の外側ボックス層の蓋の上面図が示されている。蓋（３）の端壁上の係止フラップ（２０）は、折り畳まれた係止フラップが蓋（３）の隣接する端部および側壁上に位置する係止タブ（１９）を横切って、蓋（３）のキャビティ内に少なくとも部分的に延在するように、折り畳まれる。このようにして、端部係止フラップ（２０）は、蓋（３）の端部および側壁を組み立てられた状態に実質的に保持することが想定される。組み立てられた状態では、蓋（３）は、対応する雌型係止ポケット（２２）に嵌合する雄型係止タブ（２１）を備え、蓋（３）の端壁および側壁を立設状態で実質的に保持する。
【００６７】
図１２には、本発明の一実施形態による、内側ライニング（１）の側縁の拡大図が示されている。内側ライニング（１）は、熱的に誘起された折り目線（１７）および封止された縁部（２３）を含む。
【００６８】
図１３には、本発明の一実施形態による、蓋（３）の正面図が示されている。蓋（３）には、熱的性能を改善するために、メタライズされた延伸ポリプロピレンフィルム（２９）が設けられている。メタライズされた延伸ポリプロピレンフィルム（２９）には、外側ボックス層および／または内側ライニング（図示せず）上に位置する監視装置（１０、１１、１３）と実質的に整列する開口部（１６）を設けることができる。開口部（１６）は、ポリマーフィルムによって少なくとも部分的に覆われてもよく、保護バリアを装置に提供し、蓋（３）の耐水性を維持する。蓋（３）は、蓋の位置を追跡するか、または受動的に温度を監視し、記録することができる、ＮＦＣタグなどの１つ以上の監視装置（８）を備えることができる。
【００６９】
図１４に、本発明の航空貨物承認済み発泡ポリスチレンボックスおよび断熱輸送コンテナの内部の温度変化を評価する試行の結果を示す（実施例２参照）。驚くべきことに、本発明の断熱輸送コンテナは発泡ポリスチレンボックスよりも高い耐熱性を有し、現在の航空貨物認可発泡ポリスチレンボックスよりも遅い温度上昇を示す。
【００７０】
図１５には、航空貨物が承認した発泡ポリスチレンボックスおよび本発明の断熱輸送コンテナの実施形態の温度変化のグラフが示されている（実施例３参照）。驚くべきことに、本発明の断熱輸送コンテナは発泡ポリスチレンボックスよりも高い耐熱性を有し、現在の航空貨物認可発泡ポリスチレンボックスよりも遅い温度上昇を示す。また、実験は、断熱輸送コンテナに、蓋の外側表面（ボックス１およびボックス２：シルバークールパック（Ｓｉｌｖｅｒ  ＫｏｏｌＰａｋ）、対ボックス３：ホワイトクールパック（Ｗｈｉｔｅ  ＫｏｏｌＰａｋ））に追加の反射層を設けることにより、断熱輸送コンテナの熱性能が向上することを実証した。
【００７１】
図１６では、本発明の一実施形態による、断熱輸送コンテナ（３００）が図示されている。断熱輸送コンテナ（３００）は、内側ライニング（３０１）および外側ボックス層（３０２）を備える。外側ボックス層（３０２）および内側ライニング（３０１）は、魚体の輸送のために使用され得る実質的に直方体のプリズム構成で示される。
【００７２】
図１７では、断熱輸送コンテナ（３００）の内側ライニング（３０１）が部分的に組み立てられた状態で示されている。内側ライニング（３０１）は、上側反射層と下側反射層との間に封入された発泡体層を含む断熱シート層から製造される。内側ライニングの縁部（３０５）は封止されて、材料の断熱能力を改善し、食品グレードのステータス承認を補助する。使用時には、内側ライニングの側壁（３０３）は、予め形成された線（３０６）に沿って材料の可撓性シートを折り曲げ、アルミニウムテープ（３０７）を用いて端部（３０４）を長手方向に閉じることによって、形成され得ると想定される。
【００７３】
図１８には、断熱輸送コンテナ（３００）の外側ボックス層（３０２）が示されている。外側ボックス層（３０２）は、複数のリブによって分離された一対のシートを形成した耐水性の断熱シート層から製造される。外側ボックス層は、封止された縁部（図示せず）を有することができ、材料の断熱能力を改善し、食品グレードのステータス承認を補助する。使用時に、外側ボックス層（３０２）は、ベース（図示せず）、側壁（３１３）および端壁（３１４）を形成するために、予め形成されたラインに沿ってボックスブランクを折り曲げることによって形成され得ることが想定される。側壁（３１３）は、対応する雌型ロッキングポケット（図示せず）に嵌合する少なくとも１つの雄型ロッキングタブ（３１８）によって隣接する端壁（３１４）に接続されてもよい。蓋（３１９）は、予め形成された線に沿って側壁（３１３）を曲げ、側壁（３１３）および蓋（３１９）の当接する縁部を接着テープで固定することによって形成されてもよい。
【００７４】
図１９および図２０には、段ボールボックス（３２０）内の断熱輸送コンテナ（３００）が示されている。任意選択で、蓋（３１９）を外側ボックス層（３０２）に固定するためにストラップ（３２１）を設けることができる。使用時には、ストラップ（３２１）は、断熱輸送コンテナ（３００）の移動および持ち上げを補助することができると想定される。
【００７５】
図２１では、本発明の一実施形態による、断熱輸送コンテナが使用時で示されている。食品グレードの抗菌層（２６）から製造された内面を含む内側ライニング（２）は、新鮮な魚の切り身（２８）および凍結ゲルパック（２７）を包装している。空の状態の図２１は、輸送試験で使用されるコンテナである（実施例３、ボックス２：シルバークールパック（Ｓｉｌｖｅｒ  ＫｏｏｌＰａｋ））。
【００７６】
図２２には、輸送試験（実施例１参照）で使用される、本発明の一実施形態による断熱輸送コンテナが示されている。反射層から製造され、アルミニウムテープ（３０７）で封止された内面を含む内側ライニング（３０１）は、プラスチックバッグの内側に魚の切り身（２８）を包装している。
【００７７】
図２３〜２５は、実施例１で説明したように、認可された航空貨物用段ボールコンテナ（図２３）、プラスチック製段ボール製ツインウォールシート（図２４）から製造された輸送コンテナ、および本発明の実施形態による断熱輸送コンテナ（図２５）の輸送試験中の１．２日間にわたる温度および湿度の変化を示す。驚くべきことに、本発明の断熱輸送コンテナは、現行の航空貨物の承認された梱包オプションよりも、安定した湿度と温度を維持するのにより効果的である。
【００７８】
例１：  異なる輸送コンテナを使用した温度と湿度のモニタリング
データロガーを、１００ミクロンのポリエチレンバッグ内の魚全体とともに配置され、グースネックケーブを結んで閉じる。このパッケージは冷却ゲルパックを収容した第２の１００ミクロンポリエチレンバッグ内に存在し、これもまた、グースネックケーブを結んで閉じる（魚およびゲルパックの分離を維持している）。魚およびゲルパックの両方が、テスト輸送コンテナの内側に取り付けられた熱ライニングの内側に存在する（図２２を参照）。テスト輸送コンテナには、航空貨物承認済みの段ボールコンテナ、プラスチック波形ツインウォールシートから製作された輸送コンテナ（「溝付き（Ｆｌｕｔｅｄ）ＰＰ輸送コンテナ」）、および本発明の断熱輸送コンテナが含まれる。本発明の溝付きＰＰ輸送コンテナおよび断熱コンテナは、適切な規制に準拠するために、輸送用の航空貨物認可段ボールコンテナ内に配置される。
【００７９】
各ボックスの内部の湿度および温度を、１５分毎に１．２日の期間にわたってモニターした。
【００８０】
航空貨物承認済みの段ボールコンテナの結果は、図２３で見ることができる。
【００８１】
段ボールコンテナ内の湿度および温度はかなり変化した。温度は、平均６．９°Ｃで１８．６°Ｃから２．５°Ｃの間で変化し、さまざまな期間にわたって「アウトオブコールドチェーン」の輸送状況が３回表された。温度および湿度は、約２０：５３の時点でコールドチェーンに再び入った後にのみ安定した。
【００８２】
このことは、航空貨物承認済みの段ボールコンテナが製品の品質を確保するために必要な温度と湿度を維持するのに効率的ではなく、したがって、独立した「アウトオブコールドチェーン」輸送コンテナとしては適していないことを明確に示している。
【００８３】
溝付きＰＰ輸送コンテナの結果は、図２４で見ることができる。
【００８４】
溝付きＰＰ輸送コンテナの断熱品質はいくらか低下したが、湿度と温度の両方が変化した。温度は、平均３．６°Ｃで１５．９°Ｃ〜３．２°Ｃの間で変化した。湿度は、平均は８２．１％で８５．２％〜６８．９％で変化した。温度および湿度は、約２０：５３の時点で、コールドチェーンに再び入った後にのみ安定した。
【００８５】
これは、プラスチック波形ツインウォールシートから製造された輸送コンテナは製品の品質を確保するために必要な温度と湿度を維持するのに効率的ではなく、したがって、独立した「アウトオブコールドチェーン」輸送コンテナとしては適さないことを明確に示している。
【００８６】
本発明の断熱輸送コンテナに関する結果は、図２５で見ることができる。
【００８７】
湿度および温度の両方は比較的一定であり、託送中の作動および配置中にのみ変化した。温度は、平均０．２°Ｃで１５．１°Ｃから−０．６°Ｃの間で変化した。しかし、約０６：０８の時点で一旦安定すると、変動は無視できる。湿度は、平均は９０．６％で９３．１％〜６８．２％の間で変化した。しかし、約０６：０８の時点で一旦安定すると、変動は無視できる。
【００８８】
これは、本発明の断熱輸送コンテナは、製品の品質を確保するために必要な温度および湿度を維持するのに効率的であることを示している。
【００８９】
実施例２：本発明の発泡ポリスチレンボックスおよび断熱輸送コンテナの熱耐性の測定
本発明の航空貨物承認済み発泡スチロールボックスおよび断熱輸送コンテナには、データロガーが設けられ、封止される。ボックスを温度４°Ｃの環境に置き、平衡化したときに温度３０°Ｃの第２の環境に移した。空のボックスの内部の温度を約９０分の時間期間にわたり１分間のインターバルでモニターした。その結果を図１４に示す。
【００９０】
ポリスチレンボックスの内側の温度は３０分後に２５°Ｃに達し、約６５分後に３０°Ｃに達した。対照的に、本発明のコンテナは、同じ温度に達するのにそれぞれ約４３分および８３分を必要とした。
【００９１】
この結果は、本発明のコンテナが発泡ポリスチレンボックスよりも高い耐熱性を有することを明らかに示している。
【００９２】
例３：  異なる輸送コンテナの熱耐性の測定
本発明の航空貨物承認済み発泡ポリスチロールボックスおよび断熱輸送コンテナには、データロガーが設けられ、封止される。断熱輸送コンテナのうちの２つは、蓋の外側表面上にメタライズされた延伸ポリプロピレンフィルムを備えている。
【００９３】
ボックスを４°Ｃの温度を有する環境に置き、平衡化したとき、３３°Ｃの環境温度を有する屋外に移し、太陽光に暴露した。空のボックスの内部の温度を約９０分の時間期間にわたり１分間のインターバルでモニターした。結果を図１５に示す。
【００９４】
ポリスチレンボックスの内側の温度は２０分後に２５°Ｃに達し、約２５分後に環境温度（３３°Ｃ）を超えた。本発明の輸送コンテナ（メタライズされた延伸ポリプロピレンフィルムなし）は、同じ温度に達するのにそれぞれ約３０分および４０分を必要とした。（メタライズされた延伸ポリプロピレンフィルムを有する）本発明の輸送コンテナは、同じ温度に達するのにそれぞれ約３０分および５０分を必要とした。
【００９５】
この結果は、本発明のコンテナがポリスチレンよりも高い耐熱性を有することを明らかに示している。この結果はまた、蓋の外側に追加の反射層を有する本発明の輸送コンテナを提供することが、太陽光に曝された場合の輸送コンテナの熱性能を改善することを示す。
【００９６】
本明細書および特許請求の範囲（もしあれば）において、「有する」という用語および「有する」を含むその派生語は記載された整数の各々を含むが、１つ以上の更なる整数の包含を排除するものではない。
【００９７】
本明細書全体を通して、「一実施形態（ｏｎｅ  ｅｍｂｏｄｉｍｅｎｔ）」または「一実施形態（ａｎ  ｅｍｂｏｄｉｍｅｎｔ）」という言及は、実施形態に関連して説明される特定の性質、構成、または性質が本発明の少なくとも１つの実施形態に含まれることを意味する。したがって、本明細書全体の様々な箇所における「一実施形態において（ｉｎ  ｏｎｅ  ｅｍｂｏｄｉｍｅｎｔ）」または「実施形態において（ｉｎ  ａｎ  ｅｍｂｏｄｉｍｅｎｔ）」という語句の出現は、必ずしもすべてが同じ実施形態を参照している訳ではない。さらに、特定の特徴、構造、または特性は、１つ以上の組合せで任意の適切な方法で組み合わせることができる。
【００９８】
法令にしたがって、本発明は、構造的または方法的特徴に多かれ少なかれ特異的な言語で説明された。本明細書に記載される手段は本発明を実施する好ましい形態を含むので、本発明は図示または記載される具体的な特徴に限定されないことを理解されたい。したがって、本発明は、当業者によって適切に解釈される添付の特許請求の範囲の適切な範囲内で（もしあれば）、その形態または修正のいずれかで特許請求される。
【図１】
2021529705.tif 000003
【図２】
2021529705.tif 000004
【図３】
2021529705.tif 000005
【図４】
2021529705.tif 000006
【図５】
2021529705.tif 000007
【図６】
2021529705.tif 000008
【図７】
2021529705.tif 000009
【図８】
2021529705.tif 000010
【図９】
2021529705.tif 000011
【図１０】
2021529705.tif 000012
【図１１】
2021529705.tif 000013
【図１２】
2021529705.tif 000014
【図１３】
2021529705.tif 000015
【図１４】
2021529705.tif 000016
【図１５】
2021529705.tif 000017
【図１６】
2021529705.tif 000018
【図１７】
2021529705.tif 000019
【図１８】
2021529705.tif 000020
【図１９】
2021529705.tif 000021
【図２０】
2021529705.tif 000022
【図２１】
2021529705.tif 000023
【図２２】
2021529705.tif 000024
【図２３】
2021529705.tif 000025
【図２４】
2021529705.tif 000026
【図２５】
2021529705.tif 000027
【手続補正書】
【提出日】令和2年5月19日(2020.5.19)
【手続補正１】
【補正対象書類名】特許請求の範囲
【補正対象項目名】全文
【補正方法】変更
【補正の内容】
【特許請求の範囲】
【請求項１】
腐敗しやすい物品の輸送のための断熱輸送コンテナであって、
予め形成された線に沿ってシート材料を折り曲げることにより形成された１つ以上の側壁を有する内側ライニングであって、前記内側ライニングは断熱シート材料から製造される、内側ライニングと、
外側ボックス層であって、前記外側ボックス層は耐水性の断熱シート材料から製造され、組み立てられると、前記外側ボックス層は実質的に防水性である、外側ボックス層と、を備え、
前記外側ボックス層の側壁は、少なくとも１つの係止タブによって、前記外側ボックス層の隣接する側壁に接続され、
前記内側ライニングは、前記外側ボックス層内に実質的に受容されおよび保持されるように適合され、
前記断熱シート材料および／または前記耐水性の断熱シート材料は、縁部が封止されている、断熱輸送コンテナ。
【請求項２】
蓋をさらに備え、
前記蓋は、耐水性の断熱シート材料から製造される、
請求項１に記載の断熱輸送コンテナ。
【請求項３】
前記内側ライニングは、２つ以上の層を含む材料から製造される、
請求項１または２に記載の断熱輸送コンテナ。
【請求項４】
前記層の１つ以上は、発泡体層である、
請求項３に記載の断熱輸送コンテナ。
【請求項５】
前記層の１つ以上は、独立気泡発泡体層である、
請求項３または４に記載の断熱輸送コンテナ。
【請求項６】
前記発泡体層は、反射材料の２つ以上の層の間に封入される、
請求項３〜５のいずれか一項に記載の断熱輸送コンテナ。
【請求項７】
前記発泡体層は、抗菌材料の２つ以上の層の間に封入される、
請求項３〜５のいずれか一項に記載の断熱輸送コンテナ。
【請求項８】
前記発泡体層は、反射材料の１つ以上の層と抗菌材料の１つ以上の層との間に封入される、
請求項３〜５のいずれか１項に記載の断熱輸送コンテナ。
【請求項９】
前記抗菌材料は、食品グレードの抗菌材料である、
請求項７または８に記載の断熱輸送コンテナ。
【請求項１０】
前記内側ライニングは、可撓性の断熱シート材料から製造される、
請求項１〜９のいずれか一項に記載の断熱輸送コンテナ。
【請求項１１】
前記内側ライニングは、耐水性の断熱シート材料から製造される、
請求項１〜１０のいずれか一項に記載の断熱輸送コンテナ。
【請求項１２】
前記外側ボックス層は、２つ以上の層を含む材料から製造される、
請求項１〜１１のいずれか一項に記載の断熱輸送コンテナ。
【請求項１３】
前記外側ボックス層は、波形のツインウォールプラスチックシートから製造される、
請求項１〜１２のいずれか一項に記載の断熱輸送コンテナ。
【請求項１４】
前記内側ライニング、前記外側ボックス層、または前記蓋のうちの少なくとも１つは、１つ以上の監視装置を備える、
請求項１〜１３のいずれか一項に記載の断熱輸送コンテナ。
【請求項１５】
少なくとも１つの監視装置は、断熱輸送コンテナ、その内側ライニング、その外側ボックス層、またはその蓋の位置を追跡するために使用される、
請求項１４に記載の断熱輸送コンテナ。
【請求項１６】
前記１つ以上の監視装置から得られたデータはブロックチェーンに書き込まれる、請求項１４または１５に記載の断熱輸送コンテナ。
【手続補正２】
【補正対象書類名】明細書
【補正対象項目名】００５８
【補正方法】変更
【補正の内容】
【００５８】
図１では、本発明の一実施形態による、断熱輸送コンテナ（１００）が図示されている。断熱輸送コンテナ（１００）は、内側ライニング（１）および外側ボックス層（２）を備える。外側ボックス層（３）のための蓋（図示せず）を設けることができる。外側ボックス層（２）は、内側ライニング（１）上に位置する監視装置（１０、１１、１３）と実質的に整列する１つ以上の開口部（１０ａ、１１ａ、１３ａ）を備えることができる。開口部（１０ａ、１１ａ、１３ａ）は、ポリマーフィルムによって少なくとも部分的に覆われてもよく、保護バリアを装置に提供し、外側ボックス層（２）の耐水性を維持する。外側ボックス層（２）は、外側ボックス層の位置を追跡するか、または受動的に温度を監視し、記録することができる、ＮＦＣタグなどの１つ以上の監視装置（９）を備えることができる。外側ボックス層（２）の側壁は、対応する雌型ロッキングポケット（図示せず）に嵌合する少なくとも１つの雄型ロッキングタブ（４）によって、隣接する端壁に接続されてもよい。
【手続補正３】
【補正対象書類名】明細書
【補正対象項目名】００６４
【補正方法】変更
【補正の内容】
【００６４】
図８および図９には、本発明の一実施形態による、内側ライニング（１）を形成するためのブランクが示されている。内側ライニング（１）は、熱誘導成形折り目線（１７）と、ＮＦＣタグなどの１つ以上の監視装置（１１、１３）とを含み、これらの監視装置は、外側ボックス層の位置を追跡するか、または温度を受動的に監視し、記録することができる。内側ライニング（１）の少なくとも一部は、封止された縁部（２３）を含む。内側ライニング（１）は、メタライズされた反射層から製造された外面を含み、その周囲は、（重なり合う材料２４）で内面の周囲を越えて延在する。内側ライニングが組み立てられた際に、内側ライニング（１）の１つの部分上の重なり合う材料（２４）は、内側ライニング（１）の第２の部分上の重なり合う材料（２４）に当接してもよいことが想定される。当接する重なり合う材料（２４）は、耐水性バリアを提供するために封止されてもよい。
【手続補正４】
【補正対象書類名】明細書
【補正対象項目名】００６５
【補正方法】変更
【補正の内容】
【００６５】
図１０において、開放ボックス構造の形態の蓋（３）は、蓋の側面パネルが外側ボックス層（２）の側面パネル上に実質的に延在するように、外側ボックス層（２）上に嵌合されてもよい。蓋（３）は、対応する雌型係止ポケット（２２）に嵌合する雄型係止タブ（２１）を含む。蓋（３）には、外側ボックス層の位置を追跡することができ、または温度を受動的に監視し、記録することができる、１つ以上の監視装置（８）を設けることができる。蓋（３）には、内側ライニング（１）上に位置する監視装置（１０、１１、１３）と実質的に整列する開口部（１６）を設けることもできる。開口部（１６）は、ポリマーフィルムによって少なくとも部分的に覆われてもよく、保護バリアを装置に提供し、蓋（３）の耐水性を維持する。蓋（３）は、ＮＦＣタグなどの１つ以上の監視装置（８）を備えることができ、この監視装置は、外側ボックス層の位置を追跡することができ、または温度を受動的に監視し、記録することができる。
【手続補正５】
【補正対象書類名】明細書
【補正対象項目名】００７５
【補正方法】変更
【補正の内容】
【００７５】
図２１では、本発明の一実施形態による、断熱輸送コンテナが使用時で示されている。食品グレードの抗菌層（２６）から製造された内面を含む内側ライニング（１）は、新鮮な魚の切り身（２８）および凍結ゲルパック（２７）を包装している。空の状態の図２１は、輸送試験で使用されるコンテナである（実施例３、ボックス２：シルバークールパック（Ｓｉｌｖｅｒ  ＫｏｏｌＰａｋ））。
【手続補正６】
【補正対象書類名】図面
【補正対象項目名】全図
【補正方法】変更
【補正の内容】
【図１】
2021529705.tif 000028
【図２】
2021529705.tif 000029
【図３】
2021529705.tif 000030
【図４】
2021529705.tif 000031
【図５】
2021529705.tif 000032
【図６】
2021529705.tif 000033
【図７】
2021529705.tif 000034
【図８】
2021529705.tif 000035
【図９】
2021529705.tif 000036
【図１０】
2021529705.tif 000037
【図１１】
2021529705.tif 000038
【図１２】
2021529705.tif 000039
【図１３】
2021529705.tif 000040
【図１４】
2021529705.tif 000041
【図１５】
2021529705.tif 000042
【図１６】
2021529705.tif 000043
【図１７】
2021529705.tif 000044
【図１８】
2021529705.tif 000045
【図１９】
2021529705.tif 000046
【図２０】
2021529705.tif 000047
【図２１】
2021529705.tif 000048
【図２２】
2021529705.tif 000049
【図２３】
2021529705.tif 000050
【図２４】
2021529705.tif 000051
【図２５】
2021529705.tif 000052
【国際調査報告】
2021529705.tif 000053
2021529705.tif 000054
2021529705.tif 000055